(57)【要約】 【課題】  光学的損失を抑えられる特徴を持つ照明装置を提供する。【解決手段】  ベース部材と、該ベース部材上に載置される光源基板と、前記光源基板に配置された複数のＬＥＤと、前記光源基板と前記ＬＥＤを覆う透明カバーを有し、前記透明カバーは透明樹脂のみで形成され、前記ＬＥＤから照射された光が直接前記透明カバーを透過し外部に照射され、天井面の引掛シーリングローゼットに取り付けられたアダプタに対して着脱可能な構造を有し、前記ベース部材は、凸形状の部分を備え、前記光源基板は、前記ベース部材の凸形状の部分に沿う形状をしたフレキシブルＬＥＤ光源基板である。【選択図】  図５
2018170169.tif 000002
【特許請求の範囲】
【請求項１】
ベース部材と、該ベース部材上に載置される光源基板と、前記光源基板に配置された複数のＬＥＤと、前記光源基板と前記ＬＥＤを覆う透明カバーを有し、
前記透明カバーは透明樹脂のみで形成され、前記ＬＥＤから照射された光が直接前記透明カバーを透過し外部に照射され、天井面の引掛シーリングローゼットに取り付けられたアダプタに対して着脱可能な構造を有し、
前記ベース部材は、凸形状の部分を備え、
前記光源基板は、前記ベース部材の凸形状の部分に沿う形状をしたフレキシブルＬＥＤ光源基板であることを特徴とするＬＥＤ照明装置。
【請求項２】
請求項１に記載のＬＥＤ照明装置において、前記ＬＥＤから照射された光が直接照射される前記透明カバー表面に、Ｖ溝構造を有することを特徴とするＬＥＤ照明装置。
【発明の詳細な説明】
【技術分野】
【０００１】
本発明は、複数のＬＥＤ（Ｌｉｇｈｔ  Ｅｍｉｔｔｉｎｇ  Ｄｉｏｄｅ）を光源として備えるＬＥＤ照明装置に関するものである。
【背景技術】
【０００２】
一般住宅や公共施設に普及している従来の電球や蛍光灯の代替光源としてＬＥＤを用いたＬＥＤ照明装置（例えば、ＬＥＤシーリングライトやＬＥＤ電球）が普及しつつある。ＬＥＤ照明装置は従来光源に比べ、低消費電力かつ高寿命という利点があることが知られている。一方で、従来の電球や蛍光灯の光は３６０度すべての方向に発光するのに対し、ＬＥＤ照明装置から照射される光は指向性をもつため照らすことのできる領域が限られてくるという欠点を持つ。
【０００３】
このため、ＬＥＤ照明装置では、ＬＥＤから照射される光を半透光性のグローブによって拡散させる、ＬＥＤから照射される光が斜め下方向の配光を得るよう配置することにより広範囲に光を広げる技術が採用されている。
【先行技術文献】
【特許文献】
【０００４】
【特許文献１】特開２００７−２７０７２号公報
【発明の概要】
【発明が解決しようとする課題】
【０００５】
特許文献１に記載の技術では、器具を天井面に取付けた時に床側方向のみならず、床側方向に対して傾斜及び、垂直方向にＬＥＤの光を照射しているが、光拡散性のある半透光性のグローブを用いており、光学的な損失が発生してしまうという課題を持つ。本発明は、広範囲に光を広げつつ、光学的な損失を抑えられるＬＥＤ照明装置を提供することを目的とする。
【課題を解決するための手段】
【０００６】
本発明は、上記の課題を解決するための手段として、ベース部材と、該ベース部材上に載置される光源基板と、前記光源基板に配置された複数のＬＥＤと、前記光源基板と前記ＬＥＤを覆う透明カバーを有し、前記透明カバーは透明樹脂のみで形成され、前記ＬＥＤから照射された光が直接前記透明カバーを透過し外部に照射され、天井面の引掛シーリングローゼットに取り付けられたアダプタに対して着脱可能な構造を有し、前記ベース部材は、凸形状の部分を備え、前記光源基板は、前記ベース部材の凸形状の部分に沿う形状をしたフレキシブルＬＥＤ光源基板であることを特徴とする。
【発明の効果】
【０００７】
本発明によれば、広範囲に光を広げつつ、光学的な損失を抑えられるＬＥＤ照明装置を提供することができる。
【図面の簡単な説明】
【０００８】
【図１】本発明の実施形態に係るＬＥＤ照明装置の構成展開図を示す。
【図２】ＬＥＤ照明装置の組み立て状態斜視図を示す。
【図３】フレキシブルＬＥＤ光源基板の斜視図を示す。
【図４】透明カバーの斜視図を示す。
【図５】ＬＥＤ照明装置の断面図を示す。
【発明を実施するための形態】
【０００９】
以下、本発明を実施するための形態（以下「実施形態」という）について、適宜図面を参照しながら詳細に説明する。なお、以下の説明において、ＬＥＤ照明装置１００が天井に取り付けられた状態を基準として、紙面上側を天井側、紙面下側を床側と定義する。
【００１０】
本実施形態に係るＬＥＤ照明装置１００の全体の構造展開図を図１に、ＬＥＤ照明装置１００の組み立て状態の斜視図を図２に示す。図１に示すように、ＬＥＤ照明装置１００は、透明カバー１と、フレキシブルＬＥＤ光源基板２と、ベース部材３と、電源基板４と、絶縁板５と、バックボーン６と、から構成されている。７はアダプタである。
ベース部材３は、熱伝導性の高い金属部材を略円形状となるように成形加工した部材である。ベース部材３は斜面部３ｃと前面部３ａとからなる凸形状の部分を備え、ＬＥＤ照明装置１００を天井に取付けた状態で、床側方向に凸となる。ベース部材の床側に凸となる部分である前面部３ａ上に、後述するフレキシブルＬＥＤ光源基板２をねじ止めにて固定することで、ベース部材３はフレキシブルＬＥＤ光源基板２に対する土台としての役割を果たす。ベース部材３は後述の透明カバー１の取り付け穴３ｂを有する。取り付け穴３ｂは、ベース部材３における前面部３ａ、斜面部３ｃとは異なる平面部３ｄに設けられている。ねじ止めにより、フレキシブルＬＥＤ光源基板２とベース部材３とが密着し、後述する複数のＬＥＤ２ｃの寿命低下の原因となる発光時の熱を放熱できる。さらに、ベース部材３は白色で塗装されており、光を反射し易くなっており、光学的な損失を少なくする効果を持つ。ベース部材３は、放熱性の部材で成形しても良く、その場合、ＬＥＤ２ｃからの熱をフレキシブルＬＥＤ光源基板２を介して伝わり易くすることができる。
【００１１】
図３は、フレキシブルＬＥＤ光源基板の斜視図を示す。フレキシブルＬＥＤ光源基板２は、図３に示す様に略円形状であり、柔軟性の高いフレキシブル基板を用い、基板表面２ａ及び、ベース部材３の斜面部３ｃに沿うような斜面形状面２ｂを有している。基板表面２ａ及び、斜面形状面２ｂ上には、複数のＬＥＤ２ｃが複数の同心円を描くように実装されている。
電源基板４は、長方形形状の長辺片側が曲線形に膨らんだ形状を有している。電源基板４は、ＬＥＤ照明装置１００の動作制御を行う目的で搭載されており、複数のＬＥＤ２ｃの点灯・消灯・調光及び、調色機能を有する。
絶縁板５は、電源基板４を載置できる構造となっている。絶縁板５は、ＬＥＤ照明装置１００において、電源基板４と後述する導電性の材料からなるバックボーン６とに挟まれる場所に位置し、各々の部品の物理的接触を防止し、電気絶縁を行える効果がある。
バックボーン６は、板金のプレス成型部品で、略円形状を成しており、ベース部材３とねじ止めで固定することにより、電源基板４と絶縁板５を内包する。また、中央部にはアダプタ７を取り付けるためのアダプタ取付け穴６ａを有する。
【００１２】
アダプタ７は天井部の引掛シーリングローゼットに取り付けた後、バックボーン６のアダプタ取付け穴６ａが取り付けられる。そうすることによって、ＬＥＤ照明装置１００を天井面に取り付けることができる。
透明カバー１の斜視図を図４に示す。透明カバー１は略円形状をなし、透明な樹脂にて成形されており、ＬＥＤ２ｃの光が直接照射されるカバー表面に周状にてＶ構造１ａを有する。なお、Ｖ溝形状１ａは、本実施形態のように周状に設けるのみならず、直線形状などの別形状であっても良い。また、透明カバー１は、ベース部材３に空けられた位置合わせ穴３ｂ形状と対応した凸部１ｂを有し、該凸部１ｂをベース部材位置合わせ穴３ｂに回転挿入することにより組み付けることで、着脱可能としている。透明カバー１はＬＥＤ２ｃから発せられた光を透明カバー１の外側に照射する。さらに透明カバー１は周縁部１ｃを有する。
【００１３】
次に、図５を参照しながら本発明の実施形態に係るＬＥＤ照明装置１００の作用を説明する。
図５は、実施形態に係るＬＥＤ照明装置１００の断面図を示す。図５に示す様に、ＬＥＤ照明装置１００を天井に取付けた後、複数のＬＥＤ２ｃが点灯すると、該ＬＥＤ２ｃから照射された光は透明カバー１を透過して、床面や壁面を照射する。透明カバー１を用いることにより、特許文献１に記載の半透光性のグローブで発生した光学損失量を低減することが可能になり、より少ないエネルギーで室内をより明るく照らすことが可能になる。
また、透明カバー１に設けているＶ溝構造１ａによって、複数のＬＥＤ２ｃから射出された光は多方向に屈折される。つまり、ＬＥＤ照明装置１００の使用者側から見て、複数のＬＥＤ２ｃから照射された光のうち、該光は多方向に広がり直接目に入る該光の割合が減るため、使用者のまぶしさによる不快感を低減できる効果を持つ。
また実施形態に係る照明装置１００おいて、光源基板としてフレキシブルＬＥＤ光源基板２を用いている。特許文献１に示されるような半透光性のグローブは光拡散性を持つ拡散剤がカバー全体に練り込まれており、床側方向のみにＬＥＤ２ｃの光が照射されても半透光性のグローブ表面全体を明るく照らすことができた。しかし、透明カバー１は従来の半透光性のグローブと比較すると拡散剤は練り込まれておらず、ＬＥＤ２ｃから照射された光は拡散せずに透過する。そのため、透明カバー周縁部１ｃを含めた表面全体を明るくすることが難しく、透明カバー周縁部１ｃに暗がりが発生することが考えられる。しかし、実施形態に係るＬＥＤ照明装置１００では、フレキシブルＬＥＤ光源基板２を用いることで、ＬＥＤ照明装置１００を天井に取付けた状態下において、複数のＬＥＤ２ｃから照射される光が床側方向のみならず斜面方向に向けても照射されるため、光をより広範囲に照射できる構造となっている。そのため、透明カバー１を用いても周縁部に光が照射されるため、カバー表面全体を明るく照らすことが可能であり、周縁部の暗がりの発生を抑えられる効果がある。
【００１４】
特許文献１においても、ＬＥＤ２ｃから照射される光の方向を変更することで、該光を広範囲に広げる技術が採用されている。しかし、ＬＥＤ２ｃの向きを変えるために別途金属ベース部材を用いており、部品数が多くなり組立てに時間がかかるデメリットが考えられる。一方、実施形態に係るＬＥＤ照明装置１００では１枚のフレキシブルＬＥＤ光源基板上２にＬＥＤ２ｃが実装でき、１つの光源基板部品で組み立てが行えるため、部品点数を少なくすることができ、組立時の作業性が簡便であるという効果が得られる。
以上、本発明の実施形態を説明したが、本発明は上記の実施形態に限定されることなく、本発明の要旨を逸脱しない範囲内において、種々の設計変更を行う事ができる。
【符号の説明】
【００１５】
１：透明カバー
１ａ：Ｖ溝構造
１ｂ：凸部
１ｃ：周縁部
２：フレキシブルＬＥＤ光源基板
２ａ：基板表面
２ｂ：斜面形状
２ｃ：ＬＥＤ
３：ベース部材
３ａ：前面部
３ｂ：取付け穴
３ｃ：斜面部
３ｄ：平面部
４：電源基板
５：絶縁板
６：バックボーン
６ａ：アダプタ取付け穴 
７：アダプタ
１００：ＬＥＤ照明装置
【図１】
2018170169.tif 000003
【図２】
2018170169.tif 000004
【図３】
2018170169.tif 000005
【図４】
2018170169.tif 000006
【図５】
2018170169.tif 000007